(57)【要約】【課題】髪のカット、セット、パーマ、カラーリングなど理容・美容施術、整髪に際して使用し、髪をかき分け髪を所望の位置で固定できる使用頻度が少なくて済み、加えて、櫛機能を有し、さらに髪の重なり部への絡みを防止する理容・美容用の髪留めクリップを提供する。【解決手段】先端部及び末端部が下で中央部が上に凸状に長手方向に湾曲した左上挟持片及び右上挟持片、前記左右上挟持片に屈折して連設する第１操作部よりなる上挟持部材と、頭部に沿うように長手方向に湾曲した左下挟持片及び右下挟持片、前記左右下挟持片に屈折して連設する第２操作部よりなる下挟持部材と、前記左右上挟持片と前記左右下挟持片を閉じるバネ付勢を有するバネ機構とからなり、前記左右上挟持片及び左右下挟持片の先端がそれぞれ交差して、前記左右上挟持片と前記左右下挟持片とで髪を挟持することを特徴とする髪留めクリップの構成とした。【選択図】図１
2010252979.tif 000002
【特許請求の範囲】
【請求項１】
先端部及び末端部が下で中央部が上に凸状に長手方向に湾曲した左上挟持片及び右上挟持片、前記左右上挟持片に屈折して連設する第１操作部よりなる上挟持部材と、頭部に沿うように長手方向に湾曲した左下挟持片及び右下挟持片、前記左右下挟持片に屈折して連設する第２操作部よりなる下挟持部材と、前記左右上挟持片と前記左右下挟持片を閉じるバネ付勢を有するバネ機構とからなり、
前記左右上挟持片及び左右下挟持片の先端がそれぞれ交差して、前記左右上挟持片と前記左右下挟持片とで髪を挟持することを特徴とする髪留めクリップ。
【請求項２】
前記左右上挟持片及び前記左右下挟持片が、全体として平面略Ｖ字形状で、かつ上挟持部材が金型で一体成型されたことを特徴とする請求項１に記載の髪留めクリップ。
【請求項３】
前記左右上挟持片の先端部が二股で、前記左右下挟持片の先端部が前記左右上挟持片の二股の間に位置することを特徴とする請求項１又は請求項２に記載の髪留めクリップ。
【請求項４】
前記左右上挟持片の先端部の内側方向を切欠き段差を設けて細い先端部とし、前記左右下挟持片の先端部が前記左右上挟持片の内側に位置することを特徴とする請求項１又は請求項２に記載の髪留めクリップ。
【請求項５】
前記左右下挟持片の先端部を、段差部を設けて前記左右下挟持片の中央部より細くしたことを特徴とする請求項１〜請求項４の何れか１項に記載の髪留めクリップ。
【請求項６】
前記左右上挟持片の底面に、突起を列設したことを特徴とする請求項１〜請求項５の何れか１項に記載の髪留めクリップ。
【請求項７】
前記突起の高さを、前記左右上挟持片の末端部から先端部方向に向け低くしたことを特徴とする請求項６に記載の髪留めクリップ。
【請求項８】
前記左右上挟持片の何れか一方の側面に、歯を列設したことを特徴とする請求項１〜請求項７の何れか１項に記載の髪留めクリップ。
【請求項９】
前記左右上挟持片の何れか一方に、前記左右下挟持片方向に向け、櫛歯を列設したことを特徴とする請求項１〜７の何れか１項に記載の髪留めクリップ。
【請求項１０】
前記櫛歯の長さを前記左右上挟持片の末端部から先端部方向に向け短くしたことを特徴とする請求項９に記載の髪留めクリップ。
【請求項１１】
前記バネ機構が、前記第１操作部の両サイドにそれぞれ垂下する左右の側部と前記第２操作部の両サイドにそれぞれ起立する左右の起立部との重なり部に挿通固定され、前記左右上挟持片と前記左右下挟持片の開閉支点となる軸と、前記軸に挿通し、第１、第２操作部の裏面にそれぞれ端部が係止する捻バネと、からなることを特徴とする請求項１〜請求項１０の何れか１項に記載の髪留めクリップ。
【請求項１２】
前記第１操作部の上面に、エンボス加工を施したことを特徴とする請求項１〜請求項１１の何れか１項に記載の髪留めクリップ。
【請求項１３】
前記エンボスが、前記左右上挟持部方向から前記第１操作部の末端方向に向け、大きさを大きくし、弧状に配列されたことを特徴とする請求項１２に記載の髪留めクリップ。
【請求項１４】
前記下挟持片の末端部に、上挟持部材に向けストッパーを設けたことを特徴とする請求項１〜請求項１３の何れか１項に記載の髪留めクリップ。
【請求項１５】
前記ストッパーが、上挟持部材に向け起立した中ストッパーと、前記中ストッパーに連接し、上挟持部材の側部に起立する左右ストッパーからなり、前記重なり部への髪の進入を防ぐことをことを特徴とする請求項１４に記載の髪留めクリップ。
【請求項１６】
先端部及び末端部が下で中央部が上に凸状に長手方向に湾曲した上挟持片と前記上挟持片に屈折し連設した第１操作部よりなる上挟持部材と、前記上挟持片とで髪を挟持し頭部形状に沿うように先端部及び末端部が下で中央部が上に凸状に長手方向に湾曲した下挟持片と前記下挟持片に連設した第２操作部よりなる下挟持部材と、前記第１操作部の両サイドにそれぞれ垂下する左右の側部と前記第２操作部の両サイドにそれぞれ起立する左右の起立部との重なり部に挿通固定され、前記左右上挟持片と前記左右下挟持片の開閉支点となる軸、前記軸に挿通し第１、第２操作部の裏面にそれぞれ端部が係止する捻バネよりなる前記上下挟持片を閉じるバネ付勢を有するバネ機構と、前記下挟持片の末端部に上挟持部材に向け中ストッパーと前記中ストッパーに連接し上挟持部材の側部に起立する左右ストッパーよりなる前記重なり部への髪の進入を防ぐストッパーと、からなることを特徴とする髪留めクリップ。
【発明の詳細な説明】
【技術分野】
【０００１】
本発明は、髪留めクリップに関し、特に髪のカット、セット、パーマ、カラーリングなど理容・美容施術、整髪に際して使用し、髪をかき分け髪を所望の位置で固定する便利な理容・美容用の髪留めクリップに関する。
【背景技術】
【０００２】
従来から、髪の理容・美容施術、例えばカラーリング時には、特許文献１の図１２〜図２３に示すようなダッカールなどと呼ばれる髪留めクリップを複数本繰り返し使用し、髪をかき分け髪の根元から、髪全体、或いは所望の箇所に染色液を髪に塗布している。
【０００３】
理容・美容施術、整髪に使用する従来の髪留めクリップは、図１０〜図１２に示す構造が一般的である。図１０が従来の髪留めクリップの開口時の斜視図、図１１が平面（Ａ）、底面（Ｂ）一部透視図、図１２が閉じた時の左（Ｂ）右（Ａ）、開口時の右（Ｃ）側面一部透視図である。
【０００４】
髪留めクリップ１は、上挟持部材２と、下挟持部材３と、バネ機構４からなる。上挟持部材２は、図１２（Ｃ）に示すように、先端部２ｆ及び末端部２ｇが下で中央部２ｈが上に凸状に長手方向に湾曲した上挟持片２ａと、前記上挟持片２ａに屈折し連設した第１操作部２ｂよりなる。
【０００５】
下挟持部材３は、前記上挟持片２ａとで髪を挟持し、頭部形状に沿うように、先端部３ｅ及び末端部３ｆが下で中央部３ｇが上に凸状に長手方向に湾曲した下挟持片３ａと、前記下挟持片３ａに連設した第２操作部３ｂよりなる。
【０００６】
上挟持片２ａ、下挟持片３ａには、髪留めクリップの軽量、素材節約の観点から長手方向に長い貫通孔２ｅ、３ｄが設けられていが、貫通孔２ｅ、３ｄのない髪留めクリップも流通している。また、流通品の上下挟持片２ａ、３ａは、ほぼ湾曲程度、長さ、幅ともに同形状である。
【０００７】
バネ機構４は、前記上下挟持片２ａ、３ａを閉じるバネ付勢を有する。バネ機構４は、一般的には、図１０〜図１２に示すように、第１操作部２ｂの両サイドにそれぞれ垂下する左右の側部２ｃ、２ｃと、第２操作部３ｂの両サイドにそれぞれ起立する左右の起立部３ｃ、３ｃとの重なり部５ｂに挿通固定され、上下挟持片２ａ、３ａの開閉支点となる軸５ａと、軸５ａに挿通し、第１、第２操作部２ｂ、３ｂの裏面にそれぞれ端部が係止する捻バネ５とからなる。
【０００８】
軸５ａは、一般には、起立部３ｃに穿設された孔と、第１操作部２ｂの上挟持片２ａ側に設けた第１操作部２ｂ上面まで開口した挿通孔２ｄに挿通固定される。重なり部５ｂは、図１０〜１２に示すように、側部２ｃが起立部３ｃ内側に位置するもの、外側に位置するものもある。
【０００９】
このようにしてなる髪留めクリップ１は、図１２（Ｃ）に示すように、第１、第２操作部を指で摘み、矢印方向の力をかけることで、軸５ａを支点に先端部２ｆ、３ｅから一点両矢印方向に開口１ａする。その後、髪を挟み、指を第１、第２操作部から離すことで、髪を所定の位置に固定することができる。
【００１０】
ところが、例えばカラーリング時には、髪の根元に染色液を塗布し易いように、染色液を塗布する部分の髪を左右にかき分け、左右に髪留めクリップを少なくとも２本使用しなければならい。また、髪の長い被施術者には髪留めクリップを１染色箇所で複数本使用している。従って、カラーリング終了までに、施術者は何度も何度も髪留めクリップの固定、取り外す作業を繰り返す必要があり、極めて煩雑であった。同様に、髪のカット、セットパーマなどの理容・美容施術においても、多数回繰り返し髪留めクリップの着脱作業を必要としていた。
【００１１】
加えて、髪を留めるときは、櫛により髪を梳かす作業が必要なことが多い。従って、施術者は、櫛による髪梳き作業、主に櫛に連設された鋭利な棒部で髪をかき分ける作業、さらに髪留めクリップによる髪の固定作業を繰りかえす必要があり、煩雑で、時間を要し、被施術者にとっても負担が大きかった。また、被施術者の髪が髪留めクリップの重なり部に絡むことがあり、被施術者が不快、痛みを感じることがあった。
【先行技術文献】
【特許文献】
【００１２】
【特許文献１】特願２００５−３１３４７１号公報
【発明の概要】
【発明が解決しようとする課題】
【００１３】
そこで、本考案は、特に髪のカット、セット、パーマ、カラーリングなど理容・美容施術、整髪に際して使用し、髪をかき分け髪を所望の位置で固定できる使用頻度が少なくて済み、加えて、櫛機能を有し、さらに髪の重なり部への絡みを防止する理容・美容用の髪留めクリップを提供することを目的とする。
【課題を解決するための手段】
【００１４】
本発明は、上記の課題を解決するために、先端部及び末端部が下で中央部が上に凸状に長手方向に湾曲した左上挟持片及び右上挟持片、前記左右上挟持片に屈折して連設する第１操作部よりなる上挟持部材と、頭部に沿うように長手方向に湾曲した左下挟持片及び右下挟持片、前記左右下挟持片に屈折して連設する第２操作部よりなる下挟持部材と、前記左右上挟持片と前記左右下挟持片を閉じるバネ付勢を有するバネ機構とからなり、前記左右上挟持片及び左右下挟持片の先端がそれぞれ交差して、前記左右上挟持片と前記左右下挟持片とで髪を挟持することを特徴とする髪留めクリップの構成、また前記左右上挟持片及び前記左右下挟持片が、全体として平面略Ｖ字形状で、かつ上挟持部材が金型で一体成型されたことを特徴とする前記髪留めクリップの構成とした。
【００１５】
前記左右上挟持片の先端部が二股で、前記左右下挟持片の先端部が前記左右上挟持片の二股の間に位置することを特徴とする前記何れかに記載の髪留めクリップの構成、或いは前記左右上挟持片の先端部の内側方向を切欠き段差を設けて細い先端部とし、前記左右下挟持片の先端部が前記左右上挟持片の内側に位置することを特徴とする前記何れかに記載の髪留めクリップ構成とした。
【００１６】
また前記左右下挟持片の先端部を、段差部を設けて前記左右下挟持片の中央部より細くしたことを特徴とする前記何れかに記載の髪留めクリップの構成、前記左右上挟持片の底面に、突起を列設したことを特徴とする前記何れかに記載の髪留めクリップの構成、また前記突起の高さを、前記左右上挟持片の末端部から先端部方向に向け低くしたことを特徴とする前記髪留めクリップの構成とした。
【００１７】
さらに、前記左右上挟持片の何れか一方の側面に、歯を列設したことを特徴とする前記何れかに記載の髪留めクリップの構成、或いは前記左右上挟持片の何れか一方に、前記左右下挟持片方向に向け、櫛歯を列設したことを特徴とする前記何れかに記載の髪留めクリップの構成、また前記櫛歯の長さを前記左右上挟持片の末端部から先端部方向に向け短くしたことを特徴とする前記髪留めクリップの構成とした。
【００１８】
加えて、前記バネ機構が、前記第１操作部の両サイドにそれぞれ垂下する左右の側部と前記第２操作部の両サイドにそれぞれ起立する左右の起立部との重なり部に挿通固定され、前記左右上挟持片と前記左右下挟持片の開閉支点となる軸と、前記軸に挿通し、第１、第２操作部の裏面にそれぞれ端部が係止する捻バネと、からなることを特徴とする前記の何れかに記載の髪留めクリップの構成、前記第１操作部の上面に、エンボス加工を施したことを特徴とする前記何れかに記載の髪留めクリップの構成、前記エンボスが、前記左右上挟持部方向から前記第１操作部の末端方向に向け、大きさを大きくし、弧状に配列されたことを特徴とする前記髪留めクリップの構成とした。
【００１９】
最後に、前記下挟持片の末端部に、上挟持部材に向けストッパーを設けたことを特徴とする前記何れかに記載の髪留めクリップの構成とし、また、前記ストッパーが、上挟持部材に向け起立した中ストッパーと、前記中ストッパーに連接し、上挟持部材の側部に起立する左右ストッパーからなり、前記重なり部への髪の進入を防ぐことをことを特徴とする前記髪留めクリップの構成とした。さらに、先端部及び末端部が下で中央部が上に凸状に長手方向に湾曲した上挟持片と前記上挟持片に屈折し連設した第１操作部よりなる上挟持部材と、前記上挟持片とで髪を挟持し頭部形状に沿うように先端部及び末端部が下で中央部が上に凸状に長手方向に湾曲した下挟持片と前記下挟持片に連設した第２操作部よりなる下挟持部材と、前記第１操作部の両サイドにそれぞれ垂下する左右の側部と前記第２操作部の両サイドにそれぞれ起立する左右の起立部との重なり部に挿通固定され、前記左右上挟持片と前記左右下挟持片の開閉支点となる軸、前記軸に挿通し第１、第２操作部の裏面にそれぞれ端部が係止する捻バネよりなる前記上下挟持片を閉じるバネ付勢を有するバネ機構と、前記下挟持片の末端部に上挟持部材に向け中ストッパーと前記中ストッパーに連接し上挟持部材の側部に起立する左右ストッパーよりなる前記重なり部への髪の進入を防ぐストッパーと、からなることを特徴とする髪留めクリップの構成とした。
【発明の効果】
【００２０】
本発明の髪留めクリップは、上記構成であるから、次の効果を発揮する。左右上挟持片、左右下挟持片を距離を開け髪の挟持部を２箇所設けることで、特に全体として平面略Ｖ字形とすると、髪を左右の一度でかき分け固定することができ、さらに、左右上挟持片及び左右下挟持片の先端がそれぞれ交差することで、髪留めクリップの脱落、落下を防止することができ、カラーリング等の理容・美容施術に際し髪留めクリップの着脱回数を少なく抑えることができ、施術スピードを上げ、施術者の煩雑さを低減させることができる。
【００２１】
左右上挟持片の先端を二股又は切欠きを設けた先端部とすることで、或いは、左右下挟持片の先端を段差を設けて細い先端部とすることで、髪のかき分けに使用できる。即ち、従来の櫛に連設された髪かき分け用の棒部と同様の機能を発揮する。
【００２２】
また、左右上挟持片の底面に、突起を列設することで、髪留めクリップによる髪固定の前の髪梳き作業を行うことができる。櫛による固定箇所の局所的な髪梳き作業を省略することができ、櫛と髪留めクリップの持ち替えの煩雑さを解消することができる。
【００２３】
さらに、左右上挟持片側面に、歯を列設することで、髪梳きにより効果的な機能を付与することができ、ほぼ、櫛の代わりになる。第１操作部材の上面に、エンボス加工された弾性体シートを貼付することで、染色液で手袋をしている指が滑ることを低減する。エンボスは、第１操作部の末端に向け、大きさを大きくし、弧状に配列することで、滑り止め効果がより発揮される。
【００２４】
さらに、下挟持片の末端部に、上挟持片に向けストッパーを設けることで、髪が側部と起立部の重なり部に巻き込まれ、絡むことを防止することができる。
【図面の簡単な説明】
【００２５】
【図１】本発明である髪留めクリップの第１実施形態の平面方向の斜視図である。
【図２】本発明である髪留めクリップの第１実施形態の底面方向の斜視図である。
【図３】本発明である髪留めクリップの第１実施形態の平面図である。
【図４】本発明である髪留めクリップの第１実施形態の左側面図である。
【図５】本発明である髪留めクリップの第１実施形態の開口状態の左側面図である。
【図６】本発明である髪留めクリップの第２実施形態の平面図である。
【図７】本発明である髪留めクリップの第３実施形態の平面図である。
【図８】本発明である髪留めクリップの第４実施形態の左側面図である。
【図９】本発明である髪留めクリップの第４実施形態の開口状態の左側面図である。
【図１０】従来の髪留めクリップの開口時の斜視図である。
【図１１】従来の髪留めクリップの平面、底面一部透視図である。
【図１２】従来の髪留めクリップの側面一部透視図である。
【図１３】本発明である髪留めクリップの第５実施形態の開口時の斜視図である。
【発明を実施するための形態】
【００２６】
以下、添付の図面を参照し、本発明の実施の形態について、詳細に説明する。
【実施例１】
【００２７】
第１の実施形態に係る髪留めクリップを説明する。図１は本発明である髪留めクリップの第１実施形態の平面方向の斜視図である。図２は本発明である髪留めクリップの第１実施形態の底面方向の斜視図である。図３は本発明である髪留めクリップの第１実施形態の平面図である。図４は本発明である髪留めクリップの第１実施形態の左側面図である。図５は本発明である髪留めクリップの第１実施形態の開口状態の左側面図である。
【００２８】
本発明の第１の実施形態である髪留めクリップ１０は、上挟持部材１１と、下挟持部材１６と、バネ機構１５からなる。
【００２９】
上挟持部材１１は、先端部１２ａ及び末端部１２ｂが下で中央部１２ｃが上に凸状に長手方向に湾曲した左上挟持片１２と、先端部１３ａ及び末端部１３ｂが下で中央部１３ｃが上に凸状に長手方向に湾曲した右上挟持片１３と、左右上挟持片１２、１３に屈折して連設する第１操作部１４よりなる。
【００３０】
左右上挟持片１２、１３の底面には、突起１１ａが列設されている。突起１１ａの高さは、左右上挟持片１２、１３の末端部１２ｂ、１３ｂから先端部１２ａ、１３ａ方向に向け低くなっている。これら突起１１ａは、髪を梳く櫛としての機能を発揮する。先端部１２ａ、１３ａ方向に向け、突起１１ａを低くすることで、先端部１２ａ、１３ａ、１７ａ、１８ａを交差させることができる。
【００３１】
突起１１ａの高さは、末端部１２ｂ、１３ｂの最も高いところで、３〜５ｍｍ程度が好適である。突起１１ａの配列は、１列でも、２列以上の複数列でもよく、複数列のときは、それぞれが直線状でも、千鳥足状であっても、ランダムであってもよい。一例として、図３に、突起１１ａの位置を点線で示した。また、突起１１ａは、略円筒形で、直径は、２ｍｍ程度〜１ｍｍ程度に先端部１２ａ、１３ａに向け直径を小さくしてもよい。
【００３２】
第１操作部１４の上面は、エンボス１４ｂ加工が施されている。ここでは、エンボス１４ａは、左右上挟持部１２、１３方向から第１操作部１４の末端方向に向け、大きさが大きく、弧状に配列されている。これにより、極めて高い滑り留め効果を発揮する。
【００３３】
下挟持部材１６は、頭部に沿うように先端部１７ａ及び末端部１７ｂが下で中央部１７ｃが上に凸状に長手方向に湾曲した左下挟持片１７と、同様に、先端部１８ａ及び末端部１８ｂが下で中央部１８ｃが上に凸状に長手方向に湾曲した右下挟持片１８と、左右下挟持片１７、１８に屈折して連設する第２操作部１９よりなり、左右上挟持片１２、１３及び左右下挟持片１７、１８の先端がそれぞれ交差して左右上挟持片１２、１３と左右下挟持片１７、１８とで髪を挟持する。
【００３４】
左右上挟持片１２、１３の先端部１２ａ、１３ａは二股に分岐しており、左右下挟持片１７、１８の先端部１７ａ、１８ａが左右上挟持片１２、１３の二股の間に位置している。これにより、左右上、左右下挟持片１１２、１３、１７、１８が横方向にズレることがなく、髪を所定の位置に固定し易い。
【００３５】
左右下挟持片１７、１８の先端部１７ａ、１８ａを、段差１７ｄ、１８ｄを設けて左右下挟持片の中央部より細くしてある。これにより、先端部１７ａ、１８ａを髪のかき分けに使用することができる。
【００３６】
左右上挟持片１２、１３及び前記左右下挟持片１８は、全体として平面略Ｖ字形状であるが、これらに限定されることなく、平面略Ｕ字、Ｃ字などであってもよい。また上挟持部材１１は、樹脂素材で、金型で一体成型されることが望ましい。
【００３７】
バネ機構１５は、左右上挟持片１２、１３と左右下挟持片１７、１８を閉じるバネ付勢を有する。施術者が、第１操作部１４、第２操作部１９を指で摘むと、左右上挟持片１２、１３及び左右下挟持片１７、１８が開口し、髪を固定する位置で指を離すと髪留めクリップが、髪に固定され、髪を分けて固定できる。
【００３８】
バネ機構１５の具体例として、図１〜図５に示したように、第１操作部１４の両サイドにそれぞれ垂下する左右の側部１４ａ、１４ａと第２操作部１９の両サイドにそれぞれ起立する左右の起立部１９ａ、１９ａとの重なり部１０ａに挿通固定され、左右上挟持片１２、１３と左右下挟持片１７、１８の開閉支点となる軸１５ａと、軸１５ａに挿通し、第１、第２操作部１４、１９の裏面にそれぞれ端部が係止する捻バネ１５ｂとからなる。なお、本発明に採用できるバネ機構はこれらに限定されることなく、左右上挟持片１２、１３と左右下挟持片１７、１８を閉じる機能を発揮すれば、如何なる閉止機構も採用できるのは勿論である。
【実施例２】
【００３９】
図６は、本発明である髪留めクリップの第２実施形態の平面図である。髪留めクリップ２０は、実施例１の髪留めクリップ１０において、左右上挟持片１２、１３の二又に分岐した先端部１２ａ、１３ａの内側が取り除かれ、段差部２２ｂ、２３ｂを設けて、先端部２２ａ、２３ａを細くした左右上挟持片２２、２３とした上挟持部材２１に変更し、その他は髪留めクリップ１０と同じである。その結果、左右下挟持片１７、１８の先端部１７ａ、１８ａが左右上挟持片２２、２３の先端部２２ａ、２３ａの内側に位置することなる。
【実施例３】
【００４０】
図７は、本発明である髪留めクリップの第３実施形態の平面図である。髪留めクリップ３０は、実施例１の髪留めクリップ１０の左右上挟持片１２、１３、第１操作部１４の一部の側面外側に、歯３２ａを列設し、歯３２ａの間に歯３２ａの折れを防止する補強部３２ｂを設けた歯部３２を付加したものである。
【００４１】
即ち、髪留めクリップ３０の上挟持部材３１は、実施例１の髪留めクリップ１０の上挟持部材１１と歯部３２からなる。歯部３２は、左右上挟持片１２、１３の内側面であっても、それら何れか一方であってもよい。また、歯３２ａの突出方向は、左右上挟持片１２、１３と左右下挟持片１７、１８方向に対して、直交する方向に突出している。
【実施例４】
【００４２】
図８は、本発明である髪留めクリップの第４実施形態の左側面図である。図９は、本発明である髪留めクリップの第４実施形態の開口状態の左側面図である。
【００４３】
髪留めクリップ４０は、実施例１の髪留めクリップ１０の左上挟持片１２の側面外側に、櫛歯４２ａを左下挟持片１７方向に向け列設し、櫛歯４２ａの間に櫛歯４２ａの折れを防止する補強部４２ｂを設けた櫛部４２を付加したものである。また、左下挟持片１７の末端部１７ｂに上挟持部材４１に向けストッパー４４を設けた下挟持部材４３とした。
【００４４】
即ち、髪留めクリップ４０の上挟持部材４１は、実施例１の髪留めクリップ１０の上挟持部材１１と櫛部４２からなる。歯部３２は、左右上挟持片１２、１３の内側面であっても、それら何れか一方であってもよい。
【００４５】
櫛歯４２ａの長さは、左上挟持片１７の末端部１７ｂから先端部１７ａ方向に向け短くなっている。また、閉じたとき、櫛歯４２ａは左下挟持片１７からも突出している。このような長さに調節することで、髪留めクリップ４０を頭部に固定しても、櫛歯４２ａによる頭皮への傷みは殆ど感じない。また、左下挟持片１７から櫛歯４２ａが突出していると、髪留めクリップ４０を閉じた状態でも、櫛として使用でき便利である。
【００４６】
ストッパー４４を設けることで、重なり部１０ａへ髪の進入を防ぐことができる。ストッパー４４は、本発明のすべての実施形態に採用すること、従来の髪留めクリップにも採用できる。
【００４７】
前記、歯部３２、櫛部４２は、従来の髪を挟持する部分が１箇所であるような髪留めクリップ１の上挟持片２ａ側面に適用してもよい。それにより、櫛による髪梳き作業が軽減される。
【実施例５】
【００４８】
図１３は、本発明である髪留めクリップの第５実施形態の開口時の斜視図である。本発明である髪留めクリップ５０は、上挟持部材２と、下挟持部材３と、バネ機構４と、ストッパー５１とからなる。即ち、従来の髪留めクリップ１において、ストッパー５１を下挟持片３ａの末端部に設けたものである。
【００４９】
重なり部５ｂへの髪の進入を防ぐストッパー５１は、前記下挟持片３ａの末端部に上挟持部材２に向け中ストッパー５１ａと、中ストッパー５１ａに連接し上挟持部材２の側部に起立する左右ストッパー５１ｂ、５１ｃよりなる。
【００５０】
中ストッパー５１ａは、上下挟持部片２ａ，３ａが閉じたとき、上挟持片２ａに接する位置までの長さがあることが好ましい。また、左右ストッパー５１ａ、５０ｃは、上挟持片２ａに接するよう配置されることが好ましい。ストッパーは、下挟持片３ａと一体成形されていも、下挟持片３ａに着脱可能に別部材としてもよい。別部材とするときは、プラスチックフィルムなど、薄手の素材を採用することができる。
【００５１】
なお、ここに示すストッパー５１は、上述の本発明である実施形態１〜４においても採用でできる。
【産業上の利用可能性】
【００５２】
本発明である髪留めクリップは、髪のかき分け機能、脱落機能、髪梳き機構、髪の重なり部への巻き込み防止機能を発揮することで、髪留めクリップと櫛、さらには髪留めクリップの使用本数、着脱回数がすくなく、施術者の煩雑作業の解消、施術時間の短縮に寄与し、理容・美容業界に多大な貢献をもたらす。
【符号の説明】
【００５３】
１      髪留めクリップ
１ａ    開口
２      上挟持部材
２ａ    上挟持片
２ｂ    第１操作部
２ｃ    側部
２ｄ    挿通孔
２ｅ    貫通孔
２ｆ    先端部
２ｇ    末端部
２ｈ    中央部
３      下挟持部材
３ａ    下挟持片
３ｂ    第２操作部
３ｃ    起立部
３ｄ    貫通孔
３ｅ    先端部
３ｆ    末端部
３ｇ    中央部
４      バネ機構
５      捻バネ
５ａ    軸
５ｂ    重なり部
１０    髪留めクリップ
１０ａ  重なり部
１１    上挟持部材
１１ａ  突起
１２    左上挟持片
１２ａ  先端部
１２ｂ  末端部
１２ｃ  中央部
１３    右上挟持片
１３ａ  先端部
１３ｂ  末端部
１３ｃ  中央部
１４    第１操作部
１４ａ  側部
１４ｂ  エンボス
１５    バネ機構
１５ａ  軸
１５ｂ  捻バネ
１６    下挟持部材
１７    左下挟持片
１７ａ  先端部
１７ｂ  末端部
１７ｃ  中央部
１７ｄ  段差
１８    右下挟持片
１８ａ  先端部
１８ｂ  末端部
１８ｃ  中央部
１８ｄ  段差
１９    第２操作部
１９ａ  起立部
２０    髪留めクリップ
２１    上挟持部材
２２    左上挟持片
２２ａ  先端部
２２ｂ  段差部
２３    右上挟持片
２３ａ  先端部
２３ｂ  段差
３０    髪留めクリップ
３１    上挟持部材
３２    歯部
３２ａ  歯
３２ｂ  補強部
４０    髪留めクリップ
４１    上挟持部材
４２    櫛部
４２ａ  歯
４２ｂ  補強部
４３    下挟持部材
４４    ストッパー
５０    髪留めクリップ
５１    ストッパー
５１ａ  中ストッパー
５１ｂ  左ストッパー
５１ｃ  右ストッパー
【図１】
2010252979.tif 000003
【図２】
2010252979.tif 000004
【図３】
2010252979.tif 000005
【図４】
2010252979.tif 000006
【図５】
2010252979.tif 000007
【図６】
2010252979.tif 000008
【図７】
2010252979.tif 000009
【図８】
2010252979.tif 000010
【図９】
2010252979.tif 000011
【図１０】
2010252979.tif 000012
【図１１】
2010252979.tif 000013
【図１２】
2010252979.tif 000014
【図１３】
2010252979.tif 000015